(57)【要約】【課題】火力設定を視覚や、記憶に依存しないで容易に判別をすることができる加熱調理器を提供する。【解決手段】加熱手段１ａ、１ｂと、火力設定を入力する入力スイッチ３と、この入力スイッチ３の入力信号に基づいて加熱手段１ａ、１ｂを制御するとともに火力信号を出力する加熱制御手段２と、この加熱制御手段２からの火力信号に基づいて、報知信号を出力する報知制御手段７と、この報知制御手段７からの報知信号に基づいて設定された火力を報知音で報知する報知部８と、を備え、報知制御手段７は、報知部６を複数の火力設定のうち、強、中、弱の火力設定についてのみ報知音を喝らすように制御する。【選択図】　　　　図１
2004085127.tif 000002
【特許請求の範囲】
【請求項１】
加熱手段と、
火力設定を入力する入力スイッチと、
この入力スイッチの入力信号に基づいて前記加熱手段を制御するとともに火力信号を出力する加熱制御手段と、
この加熱制御手段からの火力信号に基づいて、報知信号を出力する報知制御手段と、
この報知制御手段からの前記報知信号に基づいて設定された火力を報知音で報知する報知部と、を備え、
前記報知制御手段は、前記報知部を複数の火力設定のうち、強、中、弱の火力設定についてのみ前記報知音を喝らすように制御することを特徴とする加熱調理器。
【請求項２】
報知制御手段は、強、中、弱の報知音が異なるように制御することを特徴とする請求項１項記載の加熱調理器。
【請求項３】
報知制御手段は、報知音の長さが異なるように制御することを特徴とする請求項２項記載の加熱調理器。
【請求項４】
報知制御手段は、報知音の回数が異なるように制御することを特徴とする請求項２項記載の加熱調理器。
【請求項５】
報知制御手段は、報知音の音程が異なるように制御することを特徴とする請求項２項記載の加熱調理器。
【請求項６】
複数の火力設定のうち、強、中、弱の火力についてのみ設定する自動火力調整スイッチを備えたことを特徴とする請求項１項記載の加熱調理器。
【発明の詳細な説明】
【０００１】
【発明の属する技術分野】
この発明は、加熱調理器の火力設定報知音に関する。
【０００２】
【従来の技術】
図１０は例えば、特公平８−６５１２７号公報示された従来の加熱関越調理器の斜視図である。１はトッププレート、２はトッププレート１上にのせ調理を行う鍋、３は出力調整をするつまみ、４はつまみ３を左右に動かして出力調整を行うとき、その出力レベルを点灯数で表示する複数個のランプ群であり、ランプの点灯数が変化する毎に火力報知音を発する発音体とを備えたものである。
【０００３】
この構成において、トッププレート１上に鍋２をのせ、出力調整をするときは、つまみ３を左右に動かして出力調整を行い、その出力レベルを複数個のランプ群４の点灯数で表示する。通常このランプ群４は出力最小時に１灯だけを、最大時には全てを点灯して、その出力レベルを表示している。今、つまみ３を左端の位置にあるとき出力最小状態であり、点灯するランプも１灯とし、その位置よりつまみ３を次第に右側へ移動させていくに従い出力も増加し、ランプの点灯数も増加するものとしたとき、ランプ点灯数が１灯より２灯へ、さらに２灯より３灯へと順次増加する毎に報知音を発する。
【０００４】
【発明が解決しようとする課題】
しかしながら、上記の従来の火力報知音を発する加熱調理器においては、火力設定を調理者が認識するために、表示ランプ群の点灯数を見るか、報知音の回数を数えるしか判断できないため、火力調節する毎に表示ランプに視線を移すか、報知音の鳴った回数を覚えておかなくてはならないという問題があった。
【０００５】
この発明は、上記の課題を解決するためになされたもので、火力設定を視覚や、記憶に依存しないで容易に判別をすることができる加熱調理器を提供することを目的とする。
【０００６】
【課題を解決するための手段】
この発明に係わる加熱調理器は、加熱手段と、火力設定を入力する入力スイッチと、この入力スイッチの入力信号に基づいて前記加熱手段を制御するとともに火力信号を出力する加熱制御手段と、この加熱制御手段からの火力信号に基づいて、報知信号を出力する報知制御手段と、この報知制御手段からの前記報知信号に基づいて設定された火力を報知音で報知する報知部と、を備え、前記報知制御手段は、前記報知部を複数の火力設定のうち、強、中、弱の火力設定についてのみ前記報知音を喝らすように制御するものである。
【０００７】
また、報知制御手段は、強、中、弱の報知音が異なるように制御するものである。
【０００８】
また、報知制御手段は、報知音の長さが異なるように制御するものである。
【０００９】
また、報知制御手段は、報知音の回数が異なるように制御するものである。
【００１０】
また、報知制御手段は、報知音の音程が異なるように制御するものである。
【００１１】
また、複数の火力設定のうち、強、中、弱の火力についてのみ設定する自動火力調整スイッチを備えたものである。
【００１２】
【発明の実施の形態】
実施の形態１．
図１はこの発明の実施の形態１を示す加熱調理器の構成図、図２は同調理器の火力設定と報知音の設定の説明図である。
図１において１ａは加熱手段である誘導加熱コイル、１ｂは加熱手段であるヒーターであり、筐体１０に各々１つ以上設けられている。２は加熱手段１ａ、１ｂを制御するとともに火力信号を出力する加熱制御手段、３は火力の設定をして加熱制御手段２に入力信号を与える入力スイッチ、１１は入力スイッチ３を備える操作部、７は加熱制御手段２から出力された火力信号に基づいて報知部６に報知信号を出力する報知制御手段、１２は加熱手段の動作状態を複数個のランプ郡の点灯枢で表示する表示部である。
【００１３】
次に、図１、２により動作について説明する。
加熱手段１の火力は、操作部１１にある入力スイッチ３を操作することにより、例えば、５段階（火力１「弱」、火力２、火力３「中」、火力４、火力５「強」）と設定できるものとする。例えば、使用者が入力スイッチ３を火力５「強」にするように切りかえると、その入力信号が加熱制御手段２に送られ、加熱制御手段２は加熱手段１に火力５「強」に対応する信号を送る。そして、加熱手段１はその信号により通電され、鍋等を火力５「強」に加熱する。このとき、加熱制御手段２は同時に火力５「強」の信号を報知制御手段７に送る。そして、報知制御手段７は、図２（ｅ）に示す様に、火力５「強」に対応する報知制御信号、例えば０．１秒のパルスを報知部６に送り、報知部６は仮にブザーとすると、０．１秒のパルスによりブザー音を発生する。
【００１４】
同様に、調理者が火力設定を火力３「中」に変更した場合は、報知制御手段７は図２（ｃ）に示す様に、火力３「中」に対応する報知制御信号、例えば０．１秒のパルスを報知部６に送り、報知部６は仮にブザーとすると、０．１秒のパルスによりブザー音を発生する。火力１「弱」のときも同様に報知制御手段７は図２（ｃ）に示す様に、火力１「弱」に対応する報知制御信号、例えば０．１秒のパルスを報知部６に送り、報知部６は仮にブザーとすると、０．１秒のパルスによりブザー音を発生する。
【００１５】
さらに、調理者が火力設定を火力２に変更するべく入力スイッチ３を操作すると加熱制御手段２から加熱手段１と報知制御手段７に火力２の信号が送られる、
しかし、報知制御手段７は図２（ｂ）に示す様に報知部６にパルスを送らない。従って、火力２ではブザー音を発生しない。この動作は同様に火力４のときも図２（ｄ）に示す様に報知部６にパルスを送らないため、ブザー音を発生しない。
【００１６】
このように火力を火力５「強」→火力４→火力３「中」→火力２→火力１「弱」と設定を変えたとき、火力５「強」、火力３「中」、火力１「弱」のみ報知音を鳴らすようにしている。
【００１７】
また、火力設定を変更するべく入力スイッチ３を操作した際、表示部１２はその出力レベルを複数個のランプ群の点灯数で表示する。この表示部１２は出力最小時に１灯だけを、最大時には全てを点灯して、その出力レベルを表示する。入力スイッチ３が出力最小の位置にあるときは点灯するランプも１灯とし、入力スイッチ３の位置を出力が増加する方向に移動させていくに従い、表示部１２のランプ群も増加する。
【００１８】
以上ように、強、中、弱の火力設定のみに報知音を鳴らすことにより、強、中、弱の火力設定を視覚や、記憶に依存しないで容易に判別することができる。
【００１９】
実施の形態２．
実施の形態１は強、中、弱の火力設定のみ報知音を鳴らしたが、本実施の形態は報知音の長さを異なるようにしたもので、構成は報知制御手段７の制御が異なる他は実施の形態１の図１と同じであり説明は省略し、動作について説明する。
【００２０】
図３は実施の形態２の加熱調理器の火力設定と報知音の設定の説明図である。
加熱手段１の火力は、操作部１１にある入力スイッチ３を操作することにより、例えば５段階（火力１「弱」、火力２、火力３「中」、火力４、火力５「強」）と設定できるものとする。例えば、使用者が入力スイッチ３を火力５「強」にするように切りかえると、その入力信号が加熱制御手段２に送られ、加熱制御手段２は加熱手段１に火力５「強」に対応する信号を送る。そして、加熱手段１はその信号により通電され、鍋等を火力５「強」に加熱する。このとき、加熱制御手段２は同時に火力５「強」の信号を報知制御手段７に送る。そして、報知制御手段７は図３（ｅ）に示す様に、火力５「強」に対応する報知制御信号、例えば０．５秒のパルスを報知部６に送り、報知部６は仮にブザーとすると、０．５秒のパルスによりブザー音を発生する。
【００２１】
同様に、調理者が火力設定を火力３「中」に変更した場合は、報知制御手段７は図３（ｃ）に示す様に、火力３「中」に対応する報知制御信号、例えば０．３秒のパルスを報知部６に送り、報知部６は仮にブザーとすると、０．３秒のパルスによりブザー音を発生する。火力１「弱」のときも同様に報知制御手段７は図３（ａ）に示す様に、火力１「弱」に対応する報知制御信号、例えは０．１秒のパルスを報知部６に送り、報知部６は仮にブザーとすると、０．１秒のパルスによりブザー音を発生する。
【００２２】
さらに、調理者が火力設定を火力２に変更するべく入力スイッチ３を操作すると加熱制御手段２から加熱手段１と報知制御手段７に火力２の信号が送られる、しかし、報知制御手段７は図３（ｂ）に示す様に報知部６にパルスを送らない。従って、火力２ではブザー音を発生しない。この動作は同様に火力４のときも図３（ｄ）に示す様に報知部６にパルスを送らないため、ブザー音を発生しない。
このように火力を火力５「強」→火力４→火力３「中」→火力２→火力１「弱」と設定を変えたとき、火力５「強」、火力３「中」、火力１「弱」のみ報知音を鳴らし、かつ、火力５「強」、火力３「中」、火力１「弱」の報知音の長さが異なるようにしている。なお、表示部１２の動作は実施の形態１と同じであり説明を省略する。
【００２３】
以上ように、強、中、弱の火力設定のみに報知音を鳴らし、さらに、強、中、弱の報知音の長さを変えることにより、強、中、弱の火力設定を視覚や、記憶に依存しないで判別することができる。
【００２４】
実施の形態３．
実施の形態２は強、中、弱の火力設定についてのみ報知音の長さを異なるようにしたが本実施の形態は報知音の回数を異なるようにしたもので、構成は報知制御手段７の制御が異なる他は実施の形態１の図１と同じであり説明は省略し、動作について説明する。
【００２５】
図４は実施の形態３の加熱調理器の火力設定と報知音の設定の説明図である。
加熱手段１の火力は、操作部１１にある入力スイッチ３を操作することにより、例えば５段階（火力１「弱」、火力２、火力３「中」、火力４、火力５「強」）と改定できるものとする。例えば、使用者が入力スイッチ３を火力５「強」にするように切りかえると、その入力信号が加熱制御手段２に送られ、加熱制御手段２は加熱手段１に火力５「強」に対応する信号を送る。そして、加熱手段１はその信号により通電され、鍋等を火力５「強」に加熱する。このとき、加熱制御手段２は同時に火力５「強」の信号を報知制御手段７に送る。そして、報知制御手段７は図４（ｅ）に示す様に、火力５「強」に対応する報知制御信号、例えば０．１秒間隔のパルス５回分を報知部６に送り、報知部６は仮にブザーとすると、０．１秒間隔のパルス５回分、ブザー音を発生する。
【００２６】
同様に、調理者が火力設定を火力３「中」に変更した場合は、報知制御手段７は図４（ｃ）に示す様に、火力３「中」に対応する報知制御信号、例えば０．１秒間隔のパルス３回分を報知部６に送り、報知部６は仮にブザーとすると、０．１秒間隔のパルス３回分、ブザー音を発生する。
火力１「弱」のときも同様に報知制御手段７は図４（ａ）に示す様に、火力１「弱」に対応する報知制御信号、例えば０．１秒間隔のパルス１回分を報知部６に送り、報知部６は仮にブザーとすると、０．１秒間隔のパルス１回分、ブザー音を発生する。
【００２７】
さらに、調理者が火力設定を火力２に変更するべく入力スイッチ３を操作すると加熱制御手段２から加熱手段１と報知制御手段７に火力２の信号が送られる、しかし、報知制御手段７は図４（ｂ）に示す様に報知部６にパルスを送らない。従って、火力２ではブザー音を発生しない。この動作は同様に火力４のときも図４（ｄ）に示す様に報知部６にパルスを送らないため、ブザー音を発生しない。
このように火力を火力５「強」→火力４→火力３「中」→火力２→火力１「弱」と設定を変えたとき、火力５「強」、火力３「中」、火力１「弱」のみ報知音を鳴らし、かつ、火力５「強」、火力３「中」、火力１「弱」の報知音の回数が異なるようにしている。なお、表示部１２の動作は実施の形態１と同じであり説明を省略する。
【００２８】
以上ように、強、中、弱の火力設定のみに報知音を鳴らし、さらに、強、中、弱の報知音の回数を変えることにより、強、中、弱の火力設定を視覚や、記憶に依存しないで判別することができる。
【００２９】
実施の形態４．
実施の形態３は強、中、弱の火力設定についてのみ報知音の回数を異なるようにしたが、本実施の形態は報知音の音程が異なるようにしたもので、構成は報知制御手段７の制御が異なる他は実施の形態１の図１と同じであり説明は省略し、動作について説明する。
【００３０】
加熱手段１の火力は、操作部１１にある入力スイッチ３を操作することにより、例えば５段階（火力１「弱」、火力２、火力３「中」、火力４、火力５「強」）と設定できるものとする。例えば、使用者が入力スイッチ３を火力５「強」にするように切りかえると、その入力信号が加熱制御手段２に送られ、加熱制御手段２は加熱手段１に火力５「強」に対応する信号を送る。そして、加熱手段１はその信号により通電され、鍋等を火力５「強」に加熱する。このとき、加熱制御手段２は同時に火力５「強」の信号を報知制御手段７に送る。そして、報知制御手段７は図５（ｅ）に示す様に、火力５「強」に対応する報知制御信号、例えば△ｔ３周期の周波数パルスを報知部６に送り、報知部６は仮にブザーとすると、△ｔ３周期の周波数でブザー音を発生する。
【００３１】
同様に、調理者が火力設定を火力３「中」に変更した場合は、報知制御手段７は図５（ｃ）に示す様に、火力３「中」に対応する報知制御信号、例えば△ｔ２周期の周波数を報知部６に送り、報知部６は仮にブザーとすると、△ｔ２周期の周波数でブザー音を発生する。
火力１「弱」のときも同様に報知制御手段７は図５（ａ）に示す様に、火力１「弱」に対応する報知制御信号、例えば△ｔｌ周期の周波数を報知部６に送り、報知部６は仮にブザーとすると、△ｔ１周期の周波数でブザー音を発生する。
さらに、調理者が火力設定を火力２に変更するべく入力スイッチ３を操作すると加熱制御手段２から加熱手段１と報知制御手段７に火力２の信号が送られる、しかし、報知制御手段７は図５（ｂ）に示す様に報知部６にパルスを送らない。従って、火力２ではブザー音を発生しない。この動作は同様に火力４のときも図５（ｄ）に示す様に報知部６にパルスを送らないため、ブザー音を発生しない。
【００３２】
このように火力を火力５「強」→火力４→火力３「中」−＞火力２→火力１「弱」と設定を変えたとき、火力５「強」、火力３「中」、火力１「弱」のみ報知音を鳴らし、かつ、火力５「強」、火力３「中」、火力１「弱」の報知音の周波数を変え音程が異なるようにしている。なお、表示部１２の動作は実施の形態１と同じであり説明を省略する。
【００３３】
以上ように、強、中、弱の火力設定のみに報知音を鳴らし、さらに、強、中、弱の報知音の音程を変えることにより、強、中、弱の火力設定を視覚や、記憶に依存しないで判別することができる。
【００３４】
なお、以上の実施の形態において５段階の火力調節が可能な加熱調理器について例を挙げたが、多段階の火力調節が可能な加熱調理器についても同様に適用できる。
また、３種類の音声報知の例を挙げたが、人間の声や、川のせせらぎ等の自然音等、音声他の要素の単独の変化及びそれらの要素の任意の組合せをしてもよい。
また、筐体１０や報知制御手段７等に音声切換スイッチ（図示せず）を設けることにより、調理者の好みの音声で使用することができる。
【００３５】
また、筐体１０や報知制御手段７等に音量調節ボリューム（図示せず）を設けることにより、調理者の好みの音量で使用することができる。
また、強、中、弱の火力設定のみに報知音を鳴らしたが、例えば「強」と「中」の中間や「中」と「強」の中間の火力に、「中」または「強」をずらして「中の下」、「中の上」「強の下」のように設定変更スイッチ（図示せず）設けることにより、調理者のよく使う任意の火力設定で報知音が鳴るように変更することができる。
【００３６】
実施の形態５．
実施の形態１〜４は強、中、弱の火力設定についてのみ報知音を鳴らすものであるが、本実施の形態は複数の火力設定のうち、強、中、弱の火力についてのみ設定する自動火力調整スイッチを備えたものである。
本実施の形態の構成は実施の形態１に示したものとほぼ同様であるが、異なっている点について説明する。図６は実施形態５を示す加熱調理器の構成図、図７は自動火力調整スイッチの操作部の説明図、図８は入力スイッチの動作説明図である。
【００３７】
図６において、実施の形態１の図１に示したものと同一の部分には同一の符号を付して説明を省略する。１３は自動火力調整スイッチである。
本実施形態では、加熱手段１の火力を、操作部１１にある入力スイッチ３を操作することにより、例えば５段階（火力１「弱」、火力２、火力３「中」、火力４、火力５「強」）と設定できることは実施の形態１と同じであるが、自動火力調整スイッチ１３は、入力スイッチ３とは別に、例示した５段階の火力（火力１「弱」、火力２、火力３「中」、火力４、火力５「強」）を段階的に変化させるのではなく、火力「弱」、「中」、「強」に１度の入力で一気に調節可能なものである。
【００３８】
この自動火力調整スイッチ１３は、図６に示すように、入力スイッチ３と同様に加熱制御手段２に接続されている。この自動火力調整スイッチ１３は図７に示すように、１度の入力で一気に火力「弱」に調節可能な「弱」スイッチ、１度の入力で一気に火力「中」に調節可能な、「中」スイッチ、１度の入力で一気に火力「強」に調節可能な、「強」スイッチからなっている。また、図８に示すように、入力スイッチ３はエンコーダにより構成されており、このエンコーダを回転させることで複数段階の火力を段階的に変化させることが可能である。
【００３９】
このような構成において、自動火力調整スイッチ１３と複数段階の火力を段階的に変化させる入力スイッチ３の入力がそれぞれ加熱制御手段２に入力される構成により、例えば、使用者が火力１「弱」から火力５「強」に切りかえたい場合には、自動火力調整スイッチ群１３の「強」スイッチを押すことで、いちいち火力を１〜５段階的に変化させて行かなくても、一気に火力５の「強」に調整することが可能である。
【００４０】
また、使用者が火力１「弱」から火力４に切りかえたい場合などでも、自動火力調整スイッチ群１３の「強」スイッチを押し、火力５の「強」してから、入力スイッチ３で一段階火力を落すことで調整することが可能である。
このように、火力調整における使い勝手を非常に向上させることができる。
なお、使用者の一般的な加熱調理における使用状況を見てみると、調理初期では、細かい火力調整を行なうよりも、おおよその火力調整を行なって加熱し、目的の温度に近づいてきた所で細かい火力調整を行なって加熱出力を調整しており、入力スイッチ３しか有さない構成であっても、目的の温度に近づくまでの間は、弱、中、強のいずれかに火力を合せて調理を行なうことが多かった。
【００４１】
そこで、本実施形態のように火力を弱、中、強に一気に調整可能な自動化力調整スイッチ群１３を有する構成により、使用頻度の高い弱、中、強への調整が簡単に行なうことができる。その際、本構成では弱、中、強で音により報知されるため、表示部１２での表示情報とともに、音によっても確かに火力が、弱、中、強のいずれかに調整されるように設定されたことを確認することが可能となる。
【００４２】
また、細かい火力調整を行ない加熱出力を調整する際には、入力スイッチ３により段階的な調整をすることが可能であり、使用者の要望に応じた細かい火力調整も可能である。しかも、このような細かい火力調整を行なっている際でも、弱、中、強で音により報知されるため、表示部１２での表示情報のとともに、音によって調整しようとしている火力が、弱、中、強のいずれかを通過したことを確認することができる。
【００４３】
以上のように、強、中、弱の火力設定は使用頻度が高いため、本実施形態によれば、例えば火力を弱から中又は強、強から中又は弱、中から弱又は強への加熱出力設定をわざわざ段階的に変化させて行かなくても、一度の入力で調整できるため、火力設定にかかる時間を短縮することができ、利便性が向上する。その際、そのような設定が為されたことが報知音を鳴らすことにより、視覚や、記憶に依存しないで判別することができる。
【００４４】
なお、本実施形態では、図８に示した入力スイッチ３をエンコーダにより調整したが、図９に示すような、火力を段階的に一段階ずつ変化させることができるスイッチ形態であっても同じように適用可能である。
また、本実施形態における火力「弱」とは加熱調理器における最低火力出力のことを、火力「強」とは加熱調理器における最大火力出力のことを、火力「中」とは加熱調理器における最低火力出力と最大火力出力の中間の火力出力のことを意味するものとして使用している。
【００４５】
【発明の効果】
以上のように、この発明によれば、加熱手段と、火力設定を入力する入力スイッチと、この入力スイッチの入力信号に基づいて前記加熱手段を制御するとともに火力信号を出力する加熱制御手段と、この加熱制御手段からの火力信号に基づいて、報知信号を出力する報知制御手段と、この報知制御手段からの前記報知信号に基づいて設定された火力を報知音で報知する報知部と、を備え、前記報知制御手段は、前記報知部を複数の火力設定のうち、強、中、弱の火力設定についてのみ前記報知音を喝らすようにしたので、火力設定を視覚や、記憶に依存しないで容易に判別をすることができる。
【図面の簡単な説明】
【図１】この発明の実施の形態１を示す加熱調理器の構成図である。
【図２】この発明の実施の形態１を示す加熱調理器の火力設定と報知音の状態を示す図である。
【図３】この発明の実施の形態２を示す加熱調理器の火力設定と報知音の状態を示す図である。
【図４】この発明の実施の形態３を示す加熱調理器の火力設定と報知音の状態を示す図である。
【図５】この発明の実施の形態４を示す加熱調理器の火力設定と報知音の状態を示す図である。
【図６】この発明の実施の形態５を示す加熱調理器の構成図である。
【図７】この発明の実施の形態５を示す加熱調理器の自動火力調整スイッチの操作部の説明図である。
【図８】この発明の実施の形態５を示す加熱調理器の入力スイッチの動作説明図である。
【図９】この発明の実施の形態５を示す加熱調理器の別形態のスイッチ説明図である。
【図１０】従来の加熱調理器の構成図である。
【符号の説明】
１ａ、１ｂ　加熱手段、２　加熱制御手段、３　入力スイッチ、７　報知制御手段、１２　表示部、１３　自動火力調整スイッチ。
【図１】
2004085127.tif 000003
【図２】
2004085127.tif 000004
【図３】
2004085127.tif 000005
【図４】
2004085127.tif 000006
【図５】
2004085127.tif 000007
【図６】
2004085127.tif 000008
【図７】
2004085127.tif 000009
【図８】
2004085127.tif 000010
【図９】
2004085127.tif 000011
【図１０】
2004085127.tif 000012